(57)【要約】【課題】  本発明はデイジタル信号伝送装置において、簡単な回路構成でありながら各搬送波に適した変調方式で情報を伝送できるようにする。【解決手段】  対応する変調方式の伝送レートに基づいて入力される入力シリアル伝送データを搬送波ごとに当該変調方式に対応したビツト幅のパラレルデータに変換するシリアルパラレル変換手段を設ける。これにより複数の変換方式に対応するシリアル伝送データのシンボルレートを一致させることができ、搬送波ごとに異なる変換方式によつて情報を伝送することができる。【選択図】          図１
2005020789.tif 000002
【特許請求の範囲】
【請求項１】
離散的逆フーリエ変換された情報を周波数が互いに直交する多数の搬送波を用いて多重伝送するデイジタル信号伝送装置において、
対応する変調方式の伝送レートに基づいて入力される入力シリアル伝送データを上記搬送波ごとに当該変調方式に対応したビツト幅のパラレルデータに変換するシリアルパラレル変換手段と、
上記パラレルデータを離散的逆フーリエ変換する離散的逆フーリエ変換手段と
を具えることを特徴とするデイジタル信号伝送装置。
【請求項２】
離散的逆フーリエ変換された情報を周波数が互いに直交する多数の搬送波を用いて多重伝送するデイジタル信号伝送装置において、
入力パラレルデータを重み付け、上記搬送波ごとに送信電力を切り換える重付手段と、  上記重み付けられた入力パラレルデータを離散的逆フーリエ変換する離散的逆フーリエ変換手段と
を具えることを特徴とするデイジタル信号伝送装置。
【請求項３】
上記シリアルパラレル変換手段から供給されるパラレルデータを重み付けて上記離散的逆フーリエ変換手段に与え、上記搬送波ごとに送信電力を切り換える重付手段
を具えることを特徴とする請求項１に記載のデイジタル信号伝送装置。
【請求項４】
上記搬送波のうち、外部からの妨害を受け易い搬送波については、伝送効率の低い変調方式で上記情報を伝送し、
上記搬送波のうち、外部からの妨害を受け難い搬送波については、伝送効率の高い変調方式で上記情報を伝送する
ことを特徴とする請求項１又は請求項３に記載のデイジタル信号伝送装置。
【請求項５】
上記搬送波のうち、外部からの妨害を受け易い搬送波については、高送信電力で上記情報を伝送し、
上記搬送波のうち、外部からの妨害を受け難い搬送波については、低送信電力で上記情報を伝送する
ことを特徴とする請求項２に記載のデイジタル信号伝送装置。
【請求項６】
上記情報が階層符号化された情報である場合、
当該情報の優先度に応じて上記搬送波の変調方式と送信電力を切り換える
ことを特徴とする請求項３に記載のデイジタル信号伝送装置。
【請求項７】
上記搬送波のうち、外部からの妨害を受け易い搬送波については、高送信電力かつ伝送効率の低い変調方式で上記情報を伝送し、
上記搬送波のうち、外部からの妨害を受け難い搬送波については、低送信電力かつ伝送効率の高い変調方式で上記情報を伝送する
ことを特徴とする請求項３に記載のデイジタル信号伝送装置。
【発明の詳細な説明】
【技術分野】
【０００１】
本発明はデイジタル信号伝送装置に関し、例えばデイジタル放送に用いるものに適用して好適なものである。
【背景技術】
【０００２】
近年、デイジタル伝送の分野では、１本の搬送波の位相や振幅を入力デイジタル信号に対応して高速に変化させる位相変調（以下、ＰＳＫ（Phase Shift Keying）という）や直交変調（以下、ＱＡＭ（Quadrature Amplitude Modulation ）という）が良く用いられている。
【０００３】
また、最近では伝送誤りを起こすマルチパス、フエージング等の影響を押さえ、高品位な情報を伝送することができる変調方式として多数の搬送波を用いる直交周波数分割多重（以下、ＯＦＤＭ（Orthogonal Frequency Division Multiplex ）という）方式が注目されてきている。
【０００４】
このＯＦＤＭ方式は伝送帯域内にお互いに直交する数１０〜数１００本の搬送波を立て伝送帯域を分割し、それぞれの搬送波をＰＳＫやＱＡＭ方式によつて変調する変調方式である。このようにＯＦＤＭ方式は伝送帯域を分割するために搬送波１波あたりの帯域が狭くなつて変調速度は遅くなるが、搬送波の数が多数あるので総合的な伝送速度は従来の変調方式と変わらない特徴を有している。
【０００５】
またＯＦＤＭ方式は多数の搬送波を用いて情報を並列に伝送するので、シンボル時間長を長くすることができる。この結果、いわゆるマルチパスが存在する伝送路でもシンボル時間長に対する相対的なマルチパス遅延時間を小さくでき、マルチパスに対して強い伝送方式であることが期待されている。
【０００６】
さらにＯＦＤＭ方式は個々の搬送波を帯域内で自由に配置できる特徴を有している。この特徴を利用して現行放送と隣接する帯域には搬送波を配置しないようにできる。また同一帯域を用いてＯＦＤＭを伝送する場合には妨害波となる高電力の映像搬送波、音声搬送波および色搬送波の帯域には搬送波を配置しないようにすることもできる。
【０００７】
この例を図３に示す。図３は周波数帯域の有効利用のため現行テレビジヨン放送帯域ＣＨ１、ＣＨ２、ＣＨ３と同一の帯域を用いたときのＯＦＤＭ伝送スペクトラムである。ここで現行テレビジヨン放送帯域ＣＨ１、ＣＨ２、ＣＨ３には映像搬送波（ＶＣ）、色副搬送波（ＣＣ）、音声搬送波（ＳＣ）が配置されており、この帯域を避けるようにＯＦＤＭ伝送スペクトラムＢ１、Ｂ２、Ｂ３、Ｂ４が配置されている。因に各スペクトラムはさらに複数の搬送波によつて細かく分割されている。例えばスペクトラムＢ１はｆ1 〜ｆ(a-1) の搬送波によつて分割されており、他のスペクトラムＢ２、Ｂ３、Ｂ４についても同様である。
【発明の開示】
【発明が解決しようとする課題】
【０００８】
ところで図３のように伝送スペクトラムを配置した場合、ＯＦＤＭの各搬送波は同じ変調方式であるために、現行テレビジヨン放送の各搬送波に隣接するＯＦＤＭの各帯域（ｆ(a-1)、fa）、（ｆ(b-1)、ｆb ）、（ｆ(c-1)、ｆc ）は、高電力をもつ現行テレビジヨン放送の各搬送波からの漏れ込み電力によつて妨害を受け易い。このため他のＯＦＤＭ帯域に比して伝送誤りが発生し易い。特に、伝送効率を上げるためＯＦＤＭの各搬送波を多値変調するとこの傾向が顕著になる。
【０００９】
また最近、デイジタル放送ではＣ／Ｎが一定値以下になると伝送誤りが急激に増加し、情報が伝送できなくなることを防ぐために、情報源を階層符号化し、各階層ごとにデータの優先度をつけて変調方式や誤り訂正能力を変える方法が検討されている。例えば優先度の高いデータについては伝送効率は低いが誤りに強い４相位相変調（ＱＰＳＫ）方式によつて変調し、優先度の低い階層のデータについては６４ＱＡＭなどの多値変調方式によつて変調して同時に伝送する方法である。
【００１０】
また変調方式は優先度に関係なく同じにし、優先度の高いデータは送信電力を高くして伝送し、優先度の低い階層のデータは送信電力を低くして伝送することも検討されている。このような方法を採用すればＣ／Ｎが低くなつても最低限の情報は確保され、いわゆるグレースフルデグラデーシヨンを実現することができる。
【００１１】
ところが従来用いられている伝送方式である位相変調（ＰＳＫ）や直交変調（ＱＡＭ）では、このように異なる変調方式のデータを同時に伝送するためには、それぞれの変調方式に対応する変調器が必要となり、変調装置が大規模になる問題点があつた。
【００１２】
本発明は以上の点を考慮してなされたもので、簡易な構成でありながらグレイスフルデグラデーシヨンを実現できるデイジタル信号伝送装置を提案しようとするものである。
【課題を解決するための手段】
【００１３】
かかる課題を解決するため本発明においては、離散的逆フーリエ変換された情報を周波数が互いに直交する多数の搬送波を用いて多重伝送するデイジタル信号伝送装置において、対応する変調方式の伝送レートに基づいて入力される入力シリアル伝送データ（ＤＩＮ１）、（ＤＩＮ２）、（ＤＩＮ３）を搬送波ごとに当該変調方式に対応したビツト幅のパラレルデータに変換するシリアルパラレル変換手段（２Ａ）、（２Ｂ）、（２Ｃ）と、パラレルデータを離散的逆フーリエ変換する離散的逆フーリエ変換手段（８）とを設けるようにした。
【００１４】
また本発明においては、離散的逆フーリエ変換された情報を周波数が互いに直交する多数の搬送波を用いて多重伝送するデイジタル信号伝送装置において、入力パラレルデータ（ＰＡ）、（ＰＢ）、（ＰＣ）を重み付け、搬送波ごとに送信電力を切り換える重付手段（３）と、重み付けられた入力パラレルデータを離散的逆フーリエ変換する離散的逆フーリエ変換手段（８）とを設けるようにした。
【００１５】
このように対応する変調方式の伝送レートに基づいて入力される入力シリアル伝送データ（ＤＩＮ１）、（ＤＩＮ２）、（ＤＩＮ３）を搬送波ごとに当該変調方式に対応したビツト幅のパラレルデータ（ＰＡ）、（ＰＢ）、（ＰＣ）に変換することにより、複数の変換方式に対応するシリアル伝送データのシンボルレートを一致させることができる。これにより搬送波ごとに異なる変換方式によつて変調された情報を伝送することができる。
【００１６】
また入力パラレルデータ（ＰＡ）、（ＰＢ）、（ＰＣ）を重み付け、搬送波ごとに送信電力を切り換える重付手段（３）を設けたことにより、各搬送波ごとに振幅情報を切り換えることができる。これにより搬送波ごとに異なる送信電力によつて変調された情報を伝送することができる。
【発明の効果】
【００１７】
本発明によれば、対応する変調方式の伝送レートに基づいて入力される入力シリアル伝送データを搬送波ごとに当該変調方式に対応したビツト幅のパラレルデータに変換することにより、複数の変換方式に対応するシリアル伝送データのシンボルレートを一致させることができ、搬送波ごとに異なる変換方式によつて情報を伝送することができるデイジタル信号伝送装置を容易に実現することができる。
【００１８】
また入力パラレルデータを重み付け、上記搬送波ごとに送信電力を切り換える重付手段を設けたことにより、各搬送波ごとに振幅情報を切り換えることができ、搬送波ごとに異なる送信電力によつて情報を伝送することができるデイジタル信号伝送装置を容易に実現することができる。
【発明を実施するための最良の形態】
【００１９】
以下図面について、本発明の一実施の形態を詳述する。
【００２０】
（１）第１の実施例
（１−１）原理
本実施例で説明するＯＦＤＭ送信機は、１つの変調器を共用しながらＯＦＤＭ帯域（例えば図３におけるＢ１）に割り当てられた複数の搬送波（例えばｆ1 〜ｆ(a-1) ）それぞれについて個別に変調方式と送信電力とを設定できるようにするものである。この実施例のＯＦＤＭ送信機ではシンボルレートの変換とデータに対する重み付けによつてこの機能を実現する。その回路構成を図１に示す。
【００２１】
（１−２）全体構成
図１において、１は全体として上述の機能を実現するＯＦＤＭ送信機を示している。このＯＦＤＭ送信機１のうち上述の機能を実現する回路部分は入力段部分に設けられているシリアル／パラレル変換器２Ａ、２Ｂ、２ＣとマツピングＲＯＭ（read only memory）３の２つである。以下、これらの回路について順に説明する。
【００２２】
シリアル／パラレル変換器２Ａ、２Ｂ、２Ｃはそれぞれ３つの変調方式に対応している。すなわちＱＰＳＫ方式、１６ＱＡＭ方式、６４ＱＡＭの３つである。各シリアル／パラレル変換器２Ａ、２Ｂ、２Ｃには各変調方式それぞれに対応する伝送レートによつてシリアルデータＤＩＮ１、ＤＩＮ２、ＤＩＮ３が入力されている。
【００２３】
シリアル／パラレル変換器２Ａ、２Ｂ、２Ｃは入力されるシリアルデータＤＩＮ１、ＤＩＮ２、ＤＩＮ３のそれぞれについて対応する変調方式のビツト幅でなるＩチヤンネルパラレルデータとＱチヤンネルパラレルデータに変換し、これをマツピングＲＯＭ３に供給するようになされている。
【００２４】
すなわちＱＰＳＫに対応するシリアルデータＤＩＮ１についてはＩチヤネル及びＱチヤネルパラレルデータとしてそれぞれ１ビツトのデータを供給する。
【００２５】
また１６ＱＡＭに対応するシリアルデータＤＩＮ２についてはＩチヤネル及びＱチヤネルパラレルデータとしてそれぞれ２ビツトのデータを供給する。
【００２６】
さらに６４ＱＡＭに対応するシリアルデータＤＩＮ３についてはＩチヤネル及びＱチヤネルパラレルデータとしてそれぞれ３ビツトのデータを供給する。
【００２７】
これら一連の変換動作によつてパラレルデータＰＡ、ＰＢ、ＰＣはそれぞれ同じシンボルレートに変換されることになる。この処理によつて異なる変調方式のデータを共通の回路を介して伝送することが可能となるのである。
【００２８】
このように変調方式ごとにばらばらであつたシンボルレートの調整が終了すると、次段のマツピングＲＯＭ３によつて各搬送波ごとに送信電力を変える処理に移る。マツピングＲＯＭ３はこの処理を振幅情報に重み付けることにより実現し、重み付け後、各Ｉ及びＱチヤネルパラレルデータをバツフアメモリ４へ供給するようになされている。このときマツピングＲＯＭ３による重み付けは次のように実行される。
【００２９】
例えば後段に設けられている離散的逆フーリエ変換器８（以下、ＩＤＦＴ（Invert Discrete Fourier Transform ）器８という）に入力されるパラレルデータのデータ幅が８ビツトとする場合、最大電力で伝送する搬送波については振幅情報を８ビツト全てによつて表すように変換し、１／４の電力で伝送する搬送波については振幅情報を８ビツトのうち下位７ビツトによつて表すように変換する。これら一連の処理により各搬送波に対応するＩ及びＱチヤネルパラレルデータは所望の変調方式および送信電力に対応した振幅および位相情報に変換されるのである。
【００３０】
この後の処理は次のようになされる。まずマツピングＲＯＭ３から出力されたパラレルデータＰＡ１、ＰＢ１、ＰＣ１はバツフアメモリ制御回路４の制御のもと、一旦バツフアメモリ５に蓄えられる。このバツフアメモリ５は次段のマルチプレクサ６において情報を伝送しない搬送波にダミーデータＤＭを挿入するためのブランク期間を作るのに用いられるメモリである。バツフアメモリ５は一旦蓄えたパラレルデータＰＡ１、ＰＢ１、ＰＣ１をＩＤＦＴの変換係数に対応する順番に読み出し、マルチプレクサ６に与える。この処理によつて任意の搬送波を任意の変調方式に対応させることができる。
【００３１】
マルチプレクサ６は、各変調方式に対応する振幅情報と位相情報を持つたＩチヤンネルデータ及びＱチヤンネルデータと、伝送帯域内において情報を送らない帯域（図３における現行テレビジヨン放送帯域ＣＨ１、ＣＨ２、ＣＨ３）に対応するダミーデータＤＭ（データ「０」）をＩＤＦＴの変換係数に対応する順番で、すなわち搬送波の順番で切り替えて、シリアル／パラレル変換器７Ａ及び７Ｂに供給する。
【００３２】
シリアル／パラレル変換器７Ａ及び７Ｂは前段のマルチプレクサ６から供給された各搬送波に対応するＩ及びＱチヤンネルの各データをＩＤＦＴ器８でＩＤＦＴするためにＩＤＦＴのポイント数だけのパラレルデータに変換する。
【００３３】
ＩＤＦＴ器８はシリアル／パラレル変換器７Ａ及び７Ｂから入力される各搬送波に対応した振幅及び位相情報を有するデイジタルデータをＩＤＦＴする。これにより各搬送波ごとに所望の変調方式、送信電力をもつＯＦＤＭ時間信号を得ることができる。
【００３４】
バツフアメモリ１０Ａ及び１０Ｂはバツフアメモリ制御回路１１の制御のもと、一旦これらＩＤＦＴ器８から出力されたシリアルデータを格納するためのものである。これは伝送路で発生するマルチパス妨害を始め、受信側での離散的フーリエ変換（以下、ＤＦＴ（Discrete Fourier Transform）という）の窓の同期に対して余裕をもたせるために設ける、いわゆるガードインターバルを付加するためのものである。
【００３５】
デイジタル／アナログ変換器１２Ａ及び１２Ｂはバツフアメモリ１０Ａ及び１０Ｂからシリアルデータとして読み出されるＩＤＦＴ結果をアナログ信号に変換し、ローパスフイルタ１３Ａ及び１３Ｂに供給する。
【００３６】
乗算器１４Ａ及び１４Ｂは、Ｄ／Ａ変換器１２Ａ及び１２Ｂからローパスフイルタ１３Ａ及び１３Ｂを介して入力されるアナログベースバンド帯域のＯＦＤＭ信号を局部発振器１５の出力及び９０°移相器１６の出力と乗算する。
【００３７】
さらに加算器１７はこれら乗算器１４Ａ及び１４Ｂの信号を加算して中間周波数帯のＯＦＤＭ信号を得る。さらに中間周波数帯のＯＦＤＭ信号はバンドパスフイルタ１８を経由してＲＦ（Radio frequency ）アツプコンバータ１９に供給する。かかる後、ＲＦアツプコンバータ１９の出力は送信アンテナ２０より送信されるようになされている。
【００３８】
（２）伝送例
以上の構成において、ＯＦＤＭ送信機１による伝送例を説明する。
【００３９】
まずＯＤＦＭ帯域のうち高電力をもつ現行テレビジヨン放送に隣接する近傍搬送波信号について伝送誤りに対する耐性を高めたい場合について説明する。
【００４０】
例えばこの場合、耐性を高めたい搬送波信号についてはＱＰＳＫ方式に対応するデータレートのシリアルデータを与えれば良い。このデータはシリアル／パラレル変換器２Ａ及びマツピングＲＯＭ３によつてＱＰＳＫ方式に対応するビツト幅のデータに変換され、これに最大振幅の重みが付される。
【００４１】
また他の搬送波信号については６４ＱＡＭに対応するデータレートのシリアルデータをシリアル／パラレル変換器２Ｃに与えれば良い。このデータも同じくシリアル／パラレル変換器２Ｃ及びマツピングＲＯＭ３によつて６４ＱＡＭに対応するビツト幅のデータに変換され、これに例えば最大振幅の約２分の１の振幅の重みが付される。このように隣接帯域からの漏れ込み電力の影響が少ない周波数帯域の搬送波については高い伝送効率で信号を伝送することができ、また影響を受け易い周波数帯域の搬送波については伝送効率はやや劣るものの誤りの少ない状態で伝送することができる。
【００４２】
またデイジタルテレビジヨン信号を図２に示すようなグレイスフルデグラデーシヨンのもと伝送したい場合には、入力段に位置するシリアル／パラレル変換器２Ａ、２Ｂ、２Ｃのそれぞれについて、優先度の高い順に階層符号化されたテレビジヨン信号のシリアルデータを各変調方式に対応したデータレートで与えれば良い。
【００４３】
例えば遠くまで伝送したい優先度の高いデータについては伝送効率は低いが誤りに強いＱＰＳＫ方式に対応するビツト幅に変換され、これに最大振幅の振幅の重みが付される。また優先度が中間のデータについては１６ＱＡＭ方式に対応するビツト幅に変換され、これにやや小さい振幅の重みが付される。さらに伝送距離は短くとも最も高品位の画像情報を含むデータについては伝送効率の高い６４ＱＡＭに対応するビツト幅に変換され、これに対応して最小振幅の重みが付される。
【００４４】
以上の構成によれば、ＯＦＤＭ送信器の入力段にシリアル／パラレル変換器２Ａ〜２ＣとマツピングＲＯＭ３とを設け、入力段に入力されるシリアルデータを各変調方式に対応したパラレルデータに変換してシンボルレートをそろえると共に、振幅を自由に設定できるようにしたことにより、各搬送波ごとに異なつた変調方式と異なつた送信電力で情報を伝送することができる。
【００４５】
（３）他の実施例
なお上述の実施例においては、入力ラインを３つとし、各ラインに対応してシリアル／パラレル変換器２Ａ〜２Ｃを設ける場合について述べたが、本発明はこれに限らず、入力ラインは２つでも良く、また４つ以上の場合も適用し得る。
【００４６】
また上述の実施例においては、各搬送波の変調方式としてＱＰＳＫ、１６ＱＡＭ及び６４ＱＡＭを用いる場合について述べたが、本発明はこれに限らず、他の変調方式を用いても良い。
【００４７】
さらに上述の実施例においては、送信電力の重み付けにマツピングＲＯＭ３を用いる場合について述べたが、本発明はこれに限らず、送信電力を２のべき乗分の１に重み付けるので良ければシフトレジスタに置き換えることもできる。
【００４８】
また上述の実施例においては、搬送波ごとに変調方式と送信電力をそれぞれ切り換えることができる場合について述べたが、本発明はこれに限らず、一方についてのみ切り換えることができるＯＦＤＭ送信器にも適用し得る。
【００４９】
さらに上述の実施例においては、デイジタルテレビジヨン放送を伝送する場合について述べたが、本発明はこれに限らず、デイジタルオーデイオ放送にも適用し得る。
【産業上の利用可能性】
【００５０】
本発明は、例えばデイジタル放送に用いられるデイジタル信号伝送装置において広く利用できる。
【図面の簡単な説明】
【００５１】
【図１】本発明によるデイジタル信号伝送装置を示すブロツク図である。
【図２】グレースフルデグラデーシヨンを示すブロツク図である。
【図３】搬送波スペクトルの配置関係の説明に供する略線図である。
【符号の説明】
【００５２】
１……ＯＦＤＭ送信機、２Ａ、２Ｂ、２Ｃ……シリアル／パラレル変換器、３……マツピングＲＯＭ、４、１１……バツフアメモリ制御回路、５、１０Ａ、１０Ｂ……バツフアメモリ、６……マルチプレクサ、７Ａ、７Ｂ……シリアル／パラレル変換器、８……ＩＤＦＴ器、９……パラレル／シリアル変換器、１２Ａ、１２Ｂ……デイジタル／アナログ変換器、１３Ａ、１３Ｂ……ローパスフイルタ、１４Ａ、１４Ｂ……乗算器、１５……局部発振器、１６……移相器、１７……加算器、１８……バンドパスフイルタ、１９……ＲＦアツプコンバータ、２０……送信アンテナ。
【図１】
2005020789.tif 000003
【図２】
2005020789.tif 000004
【図３】
2005020789.tif 000005
【手続補正書】
【提出日】平成16年10月15日(2004.10.15)
【手続補正１】
【補正対象書類名】特許請求の範囲
【補正対象項目名】全文
【補正方法】変更
【補正の内容】
【特許請求の範囲】
【請求項１】
離散的逆フーリエ変換された情報を周波数が互いに直交する多数の搬送波を用いて多重伝送するデイジタル信号伝送装置において、
伝送すべき情報の優先度に応じて、各搬送波ごとに異なる変調方式に対応した振幅および位相情報に変換する手段と、
上記振幅および位相情報に基づいて離散的逆フーリエ変換する離散的逆フーリエ変換手段と、
上記離散的逆フーリエ変換手段の出力にガードインターバルを付加する付加手段と
を備えることを特徴とするデイジタル信号伝送装置。
【請求項２】
離散的逆フーリエ変換された情報を周波数が互いに直交する多数の搬送波を用いて多重伝送するデイジタル信号伝送装置において、
伝送すべき情報の優先度に応じて、最も優先度が高い情報を伝送する搬送波には、ＱＰＳＫ方式に対応した振幅および位相情報に変換し、２番目に優先度が高い情報を伝送する搬送波には、１６ＱＡＭ方式に対応した振幅および位相情報に変換し、３番目に優先度が高い情報を伝送する搬送波には、６４ＱＡＭ方式に対応した振幅および位相情報に変換する手段と、
上記振幅および位相情報に基づいて離散的逆フーリエ変換する離散的逆フーリエ変換手段と、
上記離散的逆フーリエ変換手段の出力にガードインターバルを付加する付加手段と
を備えることを特徴とするデイジタル信号伝送装置。
【手続補正２】
【補正対象書類名】明細書
【補正対象項目名】００１３
【補正方法】変更
【補正の内容】
【００１３】
かかる課題を解決するため本発明においては、離散的逆フーリエ変換された情報を周波数が互いに直交する多数の搬送波を用いて多重伝送するデイジタル信号伝送装置において、伝送すべき情報の優先度に応じて、各搬送波ごとに異なる変調方式に対応した振幅および位相情報に変換する手段（２Ａ、２Ｂ、２Ｃ）と、振幅および位相情報に基づいて離散的逆フーリエ変換する離散的逆フーリエ変換手段（８）と、離散的逆フーリエ変換手段の出力にガードインターバルを付加する付加手段（１０Ａ、１０Ｂ）とを設けるようにした。
【手続補正３】
【補正対象書類名】明細書
【補正対象項目名】００１４
【補正方法】変更
【補正の内容】
【００１４】
これにより複数の変調器を設けることなく、伝送すべき情報の優先度に応じて、各搬送波ごとに異なる変換方式で変調した情報を、伝送路内でのマルチパス妨害に強く、受信側でより確実に同期し得る情報として伝送することができる。
【手続補正４】
【補正対象書類名】明細書
【補正対象項目名】００１５
【補正方法】変更
【補正の内容】
【００１５】
また本発明においては、離散的逆フーリエ変換された情報を周波数が互いに直交する多数の搬送波を用いて多重伝送するデイジタル信号伝送装置において、伝送すべき情報の優先度に応じて、最も優先度が高い情報を伝送する搬送波には、ＱＰＳＫ方式に対応した振幅および位相情報に変換し、２番目に優先度が高い情報を伝送する搬送波には、１６ＱＡＭ方式に対応した振幅および位相情報に変換し、３番目に優先度が高い情報を伝送する搬送波には、６４ＱＡＭ方式に対応した振幅および位相情報に変換する手段（２Ａ、２Ｂ、２Ｃ）と、振幅および位相情報に基づいて離散的逆フーリエ変換する離散的逆フーリエ変換手段（８）と、離散的逆フーリエ変換手段の出力にガードインターバルを付加する付加手段（１０Ａ、１０Ｂ）とを設けるようにした。
【手続補正５】
【補正対象書類名】明細書
【補正対象項目名】００１６
【補正方法】変更
【補正の内容】
【００１６】
これにより複数の変調器を設けることなく、伝送すべき情報の優先度に応じて、各搬送波ごとにＱＰＳＫ方式、１６ＱＡＭ方式、６４ＱＡＭ方式で変調した情報を、伝送路内でのマルチパス妨害に強く、受信側でより確実に同期し得る情報として伝送することができる。
【手続補正６】
【補正対象書類名】明細書
【補正対象項目名】００１７
【補正方法】変更
【補正の内容】
【００１７】
本発明によれば、離散的逆フーリエ変換された情報を周波数が互いに直交する多数の搬送波を用いて多重伝送するデイジタル信号伝送装置において、伝送すべき情報の優先度に応じて、各搬送波ごとに異なる変調方式に対応した振幅および位相情報に変換する手段と、振幅および位相情報に基づいて離散的逆フーリエ変換する離散的逆フーリエ変換手段と、離散的逆フーリエ変換手段の出力にガードインターバルを付加する付加手段とを設けるようにしたことにより、複数の変調器を設けることなく、伝送すべき情報の優先度に応じて、各搬送波ごとに異なる変換方式で変調した情報を、伝送路内でのマルチパス妨害に強く、受信側でより確実に同期し得る情報として伝送することができ、かくして簡易な構成でありながら一段と確実にグレースフルデグラデーシヨンを実現し得るデイジタル信号伝送装置を実現できる。
【手続補正７】
【補正対象書類名】明細書
【補正対象項目名】００１８
【補正方法】変更
【補正の内容】
【００１８】
また本発明によれば、離散的逆フーリエ変換された情報を周波数が互いに直交する多数の搬送波を用いて多重伝送するデイジタル信号伝送装置において、伝送すべき情報の優先度に応じて、最も優先度が高い情報を伝送する搬送波には、ＱＰＳＫ方式に対応した振幅および位相情報に変換し、２番目に優先度が高い情報を伝送する搬送波には、１６ＱＡＭ方式に対応した振幅および位相情報に変換し、３番目に優先度が高い情報を伝送する搬送波には、６４ＱＡＭ方式に対応した振幅および位相情報に変換する手段と、振幅および位相情報に基づいて離散的逆フーリエ変換する離散的逆フーリエ変換手段と、離散的逆フーリエ変換手段の出力にガードインターバルを付加する付加手段とを設けるようにしたことにより、複数の変調器を設けることなく、伝送すべき情報の優先度に応じて、各搬送波ごとにＱＰＳＫ方式、１６ＱＡＭ方式、６４ＱＡＭ方式で変調した情報を、伝送路内でのマルチパス妨害に強く、受信側でより確実に同期し得る情報として伝送することができ、かくして簡易な構成でありながら一段と確実にグレースフルデグラデーシヨンを実現し得るデイジタル信号伝送装置を実現できる。